(57)【要約】【課題】  光サブアセンブリのレセプタクル上におけるガタツキが抑制された光トランシーバを提供する。【解決手段】  光トランシーバは、光サブアセンブリ、レセプタクル、及び、金属板部材を備える。光サブアセンブリは、同軸型の光サブアセンブリである。光サブアセンブリは、その中心軸線方向に沿って設けられた一対のフランジと、当該一対のフランジの間に存在する小径部と、を有する。レセプタクルは、光サブアセンブリの小径部を搭載するためのＵ字状の鞍部を画成する壁を有する。金属板部材は、レセプタクルの開口に連続するＵ字状の縁部を有しており、レセプタクルの上記壁に沿って設けられる。金属板部材は、レセプタクルの上記壁と光サブアセンブリのフランジとの間に狭持される。金属板部材の縁部は、フランジに反発力を付与するリブを有する。【選択図】  図３
2010181541.tif 000002
【特許請求の範囲】
【請求項１】
同軸型の光サブアセンブリであって、その中心軸線方向に沿って設けられた一対のフランジと、該一対のフランジの間に設けられた小径部と、を有する該光サブアセンブリと、
前記小径部を搭載するためのＵ字状の鞍部を含む壁を有するレセプタクルと、
前記レセプタクルの前記壁と前記光サブアセンブリの前記フランジとの間に狭持される金属板部材であって、U字状の縁部を有しており、該縁部が前記鞍部に連続するように前記壁に沿って設けられており、且つ、前記縁部は、前記フランジに反発力を付与するリブを有している、該金属板部材と、
を備える光トランシーバ。
【請求項２】
前記リブの前記中心軸線方に平行な面における断面形状は、弧状である、請求項１に記載の光トランシーバ。
【請求項３】
前記U字状の縁部には、該Ｕ字の中心線に沿って切り込みが形成されており、
前記リブは、前記中心線に対して一方側の部分と他方側の部分に分割されている、
請求項２に記載の光トランシーバ。
【請求項４】
前記リブは前記Ｕ字の中心線に対して左右対称である、請求項２に記載の光トランシーバ。
【請求項５】
前記鞍部は、前記光サブアセンブリの小径部の少なくとも半周に相当する部位を保持する、請求項１〜４の何れか一項に記載の光トランシーバ。
【発明の詳細な説明】
【技術分野】
【０００１】
本発明は、光トランシーバに関するものである。
【背景技術】
【０００２】
光トランシーバには、下記の特許文献１〜５に記載されたもののように、同軸型の光送信サブアセンブ及び光受信サブアセンブリと、レセプタクルと、を備えたものがある。光送信サブアセンブリ及び光受信サブアセンブリは、筒状のスリーブ部材を有している。スリーブ部材は、その中心軸線方向に沿って二つの大径部を有しており、当該二つの大径部の間に小径部を有している。レセプタクルは、開口を画成するＵ字状の鞍部を有している。当該鞍部にスリーブの小径部が搭載されることによって、光送信サブアセンブリ及び光受信サブアセンブリは、レセプタクルに搭載される。
【特許文献１】特開２００７−１９９１３７号公報
【特許文献２】特開２００６−１０８６８４号公報
【特許文献３】特開２００６−１０６７５２号公報
【特許文献４】特開２００６−１０６７５１号公報
【特許文献５】特開２００６−１７５８８１号公報
【発明の開示】
【発明が解決しようとする課題】
【０００３】
一般的に、上述したスリーブの小径部の長さは短くなっている。したがって、鞍部に小径部を搭載した状態では、レセプタクルに対する光送信サブアセンブリ及び光受信サブアセンブリのがたつきが生じることがある。
【０００４】
本発明は、光サブアセンブリのレセプタクル上におけるがたつきが抑制された光トランシーバを提供することを目的としている。
【課題を解決するための手段】
【０００５】
本発明の光トランシーバは、光サブアセンブリ、レセプタクル、及び、金属板部材を備えている。光サブアセンブリは、同軸型の光サブアセンブリである。光サブアセンブリは、その中心軸線方向に沿って設けられた一対のフランジと、該一対のフランジの間に設けられた小径部と、を有している。レセプタクルは、光サブアセンブリの小径部を搭載するためのＵ字状の鞍部を画成する壁を有している。金属板部材は、Ｕ字状の縁部を有しており、縁部が鞍部に連続するように上記壁に沿って設けられている。当該縁部は、フランジに反発力を付与するリブを有している。金属板部材は、レセプタクルの上記壁と光サブアセンブリのフランジとの間に狭持される。
【０００６】
この光トランシーバでは、反発力を付与し得る金属板部材のリブが、光サブアセンブリのフランジとレセプタクルの壁との間に狭持されるので、光サブアセンブリがレセプタクルに対してがたつくことなく搭載される。
【０００７】
金属板部材のリブの断面形状であって上記中心軸線方向に平行な面における断面形状は、弧状であることが好ましい。このようなリブは、金属板部材の縁部に容易に形成することが可能であり、また、上述した反発力を付与し得る好適な形状である。
【０００８】
金属板部材のＵ字状の縁部には、当該Ｕ字の中心線に沿って切り込みが形成されており、リブは、当該中心線に対して一方側の部分と他方側の部分に分割されていることが好適である。このようにリブを二分割することにより、当該リブに適度な弾性を与えることが可能となる。
【０００９】
また、レセプタクルの鞍部は、小径部の少なくとも半周に相当する部位を保持するように形成されていることが好ましい。この構成によれば、レセプタクル上での光サブアセンブリの状態がより安定する。
【発明の効果】
【００１０】
以上説明したように、本発明によれば、光サブアセンブリのレセプタクル上におけるがたつきが抑制された光トランシーバが提供される。
【発明を実施するための最良の形態】
【００１１】
以下、図面を参照して本発明の好適な実施形態について詳細に説明する。図１は、本発明の一実施形態にかかる光トランシーバの外観を示す斜視図である。図１に示す光トランシーバ１０は、レセプタクルに挿入される光コネクタと光学的に結合することにより、光信号の送受信を行う。
【００１２】
光トランシーバ１０は、光送信サブアセンブリ（ＴＯＳＡ）、光受信サブアセンブリ（ＲＯＳＡ）、ＴＯＳＡ及びＲＯＳＡを搭載するためのレセプタクル１２、並びに、レセプタクルの外周面を覆うように設けられた金属板部材１４を備えている。
【００１３】
また、光トランシーバ１０は、ＴＯＳＡ及びＲＯＳＡに電気的に結合する回路基板、当該回路基板を搭載するフレーム、並びに、レセプタクル１２の後側の一部、回路基板、及び、フレーム等の部材を覆うカバー１６を更に備えることができる。
【００１４】
以下、光トランシーバ１０のＴＯＳＡ、ＲＯＳＡ、レセプタクル、及び、金属板部材について詳細に説明する。図２は、図１に示す光トランシーバのレセプタクル、金属板部材、ＴＯＳＡ、及びＲＯＳＡを示す斜視図であり、ＴＯＳＡ及びＲＯＳＡをレセプタクルに組み付けた状態を示している。図３は、ＴＯＳＡ、及びＲＯＳＡを、金属板部材を組み付けたレセプタクルから取り外した状態を示す斜視図である。図４は、レセプタクル及び金属板部材の分解斜視図である。図５は、図３のＶ−Ｖ線に沿う断面図である。また、図６は、図３のＶＩ−ＶＩ線に沿う断面図である。
【００１５】
図２に示すＲＯＳＡ２０及びＴＯＳＡ２２は、所謂同軸型の光サブアセンブリである。ＲＯＳＡ２０は、その中心軸線Ｘ１を光軸としており、ＴＯＳＡ２２は、その中心軸線Ｘ２を光軸としている。ＲＯＳＡ２０は、フォトダイオードといった受光素子を有しており、光コネクタからの光信号を受信する。ＴＯＳＡ２２は、レーザダイオードといった発光素子を有しており、光信号を光コネクタからに向けて送信する。
【００１６】
図３に示すように、ＲＯＳＡ２０は、ＣＡＮパッケージ２０ａ、及び、スリーブ部材２０ｂを有している。ＣＡＮパッケージ２０ａは、受光素子を収容しており、当該受光素子に電気的に結合されたリード端子を含んでいる。
【００１７】
スリーブ部材２０ｂは、筒状の部材であり、ＣＡＮパッケージ２０ａの先端側に装着されている。スリーブ部材２０ｂは、樹脂製であってもよく、金属製であってもよい。
【００１８】
ＲＯＳＡ２０は、その中心軸線Ｘ１方向に順に、二つのフランジ２０ｃ及び２０ｄを有している。本実施形態では、フランジ２０ｃはスリーブ部材２０ｂの外周面に形成されており、フランジ２０ｄはＣＡＮパッケージ２０ａの外周面に形成されている。これら二つのフランジのうち前側のフランジ２０ｃの後面は、中心軸線Ｘ１に対して直交する面となっている。また、ＲＯＳＡ２０は、二つのフランジ２０ｃと２０ｄとの間に小径部２０ｅを有している。なお、本実施形態では、小径部２０ｅは、スリーブ部材２０ｂの外周面に形成されている。
【００１９】
ＴＯＳＡ２２は、ＣＡＮパッケージ２２ａ、及び、スリーブ部材２２ｂを有している。ＣＡＮパッケージ２２ａは、発光素子を収容しており、当該発光素子に電気的に結合されたリード端子を含んでいる。
【００２０】
スリーブ部材２２ｂは、筒状の部材である。本実施形態では、スリーブ部材２２ｂは、第１のスリーブ２２ｆ及び第２のスリーブ２２ｇを含んでいる。第１のスリーブ２２ｆは、第２のスリーブ（結合スリーブ）２２ｇを介してＣＡＮパッケージ２２ａの先端側に装着されている。なお、スリーブ部材２２ｂは、樹脂製であってもよく、金属製であってもよい。
【００２１】
ＴＯＳＡ２２は、その中心軸線Ｘ２方向に順に二つのフランジ２２ｃ及び２２ｄを有している。フランジ２２ｃ及びフランジ２２ｄは共に、スリーブ部材２２ｂの第１のスリーブ２２ｆの外周面に形成されている。これら二つのフランジのうち前側のフランジ２２ｃの後面は、中心軸線Ｘ２に直交する面となっている。また、ＴＯＳＡ２２は、二つのフランジ２２ｃと２２ｄとの間に、小径部２２ｅを有している。この小径部２２ｅも第１のスリーブ２２ｆの外周面に形成されている。
【００２２】
ＲＯＳＡ２０の小径部２０ｅ及びＴＯＳＡ２２の小径部２２ｅは、レセプタクル１２に搭載される。図４に示すように、レセプタクル１２は、ＲＯＳＡ２０の中心軸線Ｘ１及びＴＯＳＡ２２の中心軸線Ｘ２に略直交する面に沿って設けられた壁１２ｂを有している。この壁１２ｂは、ＲＯＳＡ２０の小径部２０ｅを搭載するための鞍部１２ｃと、ＴＯＳＡ２２の小径部２２ｅを搭載するための鞍部１２ｄとを含んでいる。
【００２３】
鞍部１２ｃ及び鞍部１２ｄは、Ｕ字形状をなしている。鞍部１２ｃ及び１２ｄはそれぞれ、半開口１２ｅ及び１２ｆを画成している。これら半開口１２ｅ及び１２ｆには、小径部２０ｅ及び２２ｅが配置される。半開口１２ｅ及び１２ｆは、レセプタクル１２内部の空間に連続しており、当該空間はレセプタクル１２の前端において開口している。よって、鞍部１２ｃ及び１２ｄに搭載されたＲＯＳＡ２０及びＴＯＳＡ２２は、レセプタクル１２の前端の開口から挿入される光コネクタと、当該レセプタクル１２内の空間において光学的に結合する。
【００２４】
また、鞍部１２ｃ及び１２ｄは、小径部２０ｅ及び２２ｅの半周に相当する部位を覆う縁の長さを有している。具体的には、鞍部１２ｃについては、当該鞍部１２ｃの頂部（底）での曲率は、小径部２０ｅの半径より大きくなっている。また、鞍部１２ｄについても、当該鞍部１２ｄの頂部（底）での曲率は、小径部２２ｅの半径より大きくなっている。このような鞍部１２ｃ及び１２ｄによれば、ＲＯＳＡ２０及びＴＯＳＡ２２がレセプタクル１２に安定して搭載される。
【００２５】
レセプタクル１２には、金属板部材１４が取り付けられる。金属板部材１４は、一枚の金属板に対する加工によって製造される部材である。金属板部材１４は、レセプタクル１２の外壁に沿うように設けられる。金属板部材１４は、電磁シールドとしての機能を提供し、また、ホストシステムへのグランドを提供する。
【００２６】
金属板部材１４は、レセプタクル１２の鞍部１２ｃ及び１２ｄに連続する二つの縁部１４ａ及び１４ｂを有している。即ち、縁部１４ａ及び１４ｂもＵ字形状をなしている。縁部１４ａ及び１４ｂによって画成される半開口は、レセプタクル１２の半開口１２ｅ及び１２ｆに連続する。
【００２７】
縁部１４ａは、リブ１４ｃを有しており、縁部１４ｂは、リブ１４ｄを有している。リブ１４ｃは、縁部１４ａの頂部を通る中心線Ｚ１に対して一方側の部位１４ｅと他方側の部位１４ｆに分離されている。また、リブ１４ｄは、縁部１４ｂの頂部を通る中心線Ｚ２に対して一方側の部位１４ｇと他方側の部位１４ｈに分離されている。二つのリブ（１４ｅ、１４ｆ）、及び（１４ｇ、１４ｈ）はそれぞれ左右対称に形成されていることが好ましい。
【００２８】
図６に示すように、リブ１４ｃの断面形状は、弧状である。同様に、リブ１４ｄの断面形状も弧状である。リブ１４ｃは、ＲＯＳＡ２０のフランジ２０ｄの前面側に向けて突出する弧状をなしている。また、リブ１４ｄは、ＴＯＳＡ２２のフランジ２２ｄの前面側に向けて突出する弧状をなしている。
【００２９】
ここで、レセプタクル１２はダイキャストもしくは樹脂成形によって製造される部品である。したがって、鞍部１２ｄ（及び１２ｃ）を形成するための型をレセプタクル１２の成型後に抜き取り可能とするために、壁１２ｂの形状は、その厚みが当該型の抜き取り方向において減少するものとなっている必要がある。そのためには、壁１２ｂの前方側の面１２ｇ及び後方側の面１２ｈ（図５参照）の一方が傾斜している必要がある。面１２ｇ、即ち壁１２ｂの前方側の面は、光コネクタがレセプタクル１２内に挿入されるときにスリーブ部材の前側のフランジの後面が当接する光学基準面である。したがって、傾斜させることができる面は、壁１２ｂの後面１２ｈである。しかしながら、この後面１２ｈが傾斜していることにより、ＲＯＳＡ２０及びＴＯＳＡ２２の後側のフランジの前面とレセプタクル１２の壁１２ｂの後面１２ｈとの間には、隙間が生じる。本光トランシーバ１０では、この隙間の影響を、金属板部材１４の上述したリブによって相殺している。
【００３０】
具体的には、鞍部を有する壁１２ｂの厚みと軸線Ｘ１（又は軸線Ｘ２）方向における金属板部材１４のリブの高さｈ（図６参照）との合計値が、ＲＯＳＡ２０及びＴＯＳＡ２２の前側フランジの後面と後側フランジの前面との間の距離より僅かに大きく設計されている。ＲＯＳＡ２０及びＴＯＳＡ２２の小径部をレセプタクル１２の鞍部に搭載され、壁１２ｂの後面とＲＯＳＡ２０及びＴＯＳＡ２２の後側フランジの前面の間に、金属板部材１４が狭持されると、壁１２ｂの後面と当該後側フランジの前面の間で金属板部材１４のリブが変形する。これにより、金属板部材１４のリブは、ＲＯＳＡ２０及びＴＯＳＡ２２の後側フランジに反発力を付与する。この反発力により、ＲＯＳＡ２０及びＴＯＳＡ２２はがたつくことなくレセプタクル１２に搭載される。
【００３１】
また、上述したように、金属板部材１４のリブが二つに部位に分離されることにより、当該リブは適度な弾性を有するものとなっている。したがって、金属板部材１４のリブは、適度に変形することが可能である。さらに、前述のようにリブ１４ｅ、１４ｆ、及びリブ１４ｇ、１４ｈはそれぞれ中心線Ｚ１、Ｚ２に対して左右対称に形成されているので、ＲＯＳＡ２０、ＴＯＳＡ２２が金属板部材１４を挟み込みつつレセプタクル１２に固定される際に、それぞれ軸線Ｘ１、Ｘ２について均等に力が及ぼされることになる。また、リブをその中心線Ｚ１、Ｚ２で分割することにより、この効果が促進される。
【００３２】
なお、本発明は上記した本実施形態に限定されることなく種々の変形が可能である。上述した光トランシーバ１０では、ＴＯＳＡ２２のスリーブ部材２２ｂは、二つのスリーブを含むものであったが、ＲＯＳＡ２０のスリーブ部材２０ｂように、単一の筒状部材から構成されていてもよい。また、ＲＯＳＡ２０のスリーブ部材２０ｂは、単一の筒状部材であったが、ＴＯＳＡ２２のスリーブ部材２２ｂのように二つのスリーブから構成されていてもよい。また、ＲＯＳＡ２０及びＴＯＳＡ２２の二つの大径部及び小径部は、ＲＯＳＡ２０及びＴＯＳＡ２２の外周面に形成されていれば、任意の部材によって提供されてもよい。
【図面の簡単な説明】
【００３３】
【図１】本発明の一実施形態にかかる光トランシーバの外観を示す斜視図である。
【図２】図１に示す光トランシーバのレセプタクル、金属板部材、光送信サブアセンブリ、及び光受信サブアセンブリを示す斜視図である。
【図３】図１に示す光トランシーバのＴＯＳＡ、及びＲＯＳＡを、金属板部材を組み付けたレセプタクルから取り外した状態を示す斜視図である。
【図４】レセプタクル及び金属板部材の分解斜視図である。
【図５】図３のＶ−Ｖ線に沿う断面図である。
【図６】図３のＶＩ−ＶＩ線に沿う断面図である。
【符号の説明】
【００３４】
１０…光トランシーバ、１２…レセプタクル、１２ｂ…壁、１２ｃ，１２ｄ…鞍部、１２ｅ，１２ｆ…半開口、１２ｇ…面（壁１２ｂの前面）、１２ｈ…面（壁１２ｂの後面）、１４…金属板部材、１４ａ，１４ｂ…縁部、１４ｃ，１４ｄ…リブ、１４ｅ，１４ｆ，１４ｇ，１４ｈ…部位（リブの部位）、１６…カバー、２０…光受信サブアセンブリ（ＲＯＳＡ）、２０ａ…ＣＡＮパッケージ、２０ｂ…スリーブ部材、２０ｃ…フランジ（前側フランジ）、２０ｄ…フランジ（後側フランジ）、２０ｅ…小径部、２２…光送信サブアセンブリ（ＴＯＳＡ）、２２ａ…ＣＡＮパッケージ、２２ｂ…スリーブ部材、２２ｃ…フランジ（前側フランジ）、２２ｄ…フランジ（後側フランジ）、２２ｅ…小径部、２２ｆ…第１のスリーブ、２２ｇ…第２のスリーブ。
【図１】
2010181541.tif 000003
【図２】
2010181541.tif 000004
【図３】
2010181541.tif 000005
【図４】
2010181541.tif 000006
【図５】
2010181541.tif 000007
【図６】
2010181541.tif 000008